【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
ユーザの自宅又はビジネス内での無線デバイスと複数のモノのインターネット（ＩｏＴ）デバイス及び／又はＩｏＴハブとの間の信号強度を示す信号強度データを収集する、システム校正モジュールであって、前記信号強度データを前記ユーザの自宅又はビジネスにおける位置と関連付け、前記関連付けを位置データベースに記憶するものである、システム校正モジュールと、
前記位置データベースにおける前記信号強度データを、前記無線デバイスと前記複数のＩｏＴデバイス及び／又はＩｏＴハブのうちの１つ以上との間の現在の信号強度を示す現在の信号強度データと比較することによって、前記無線デバイスの現在位置を決定する、信号強度分析モジュールと、
前記無線デバイスにインストールされた校正アプリケーションであって、前記信号強度データを収集するときに前記システム校正モジュールと通信するものであり、１）前記ユーザの自宅又はビジネスにおける異なる部屋及び／又は各部屋内の異なる場所に移動するように、また、２）前記ユーザが前記異なる部屋及び／又は各部屋内の異なる場所の各々に到着したときに前記校正アプリケーションに指示を提供するように前記ユーザに指図するものである、校正アプリケーションと、を備える、システム。
【請求項２】
前記校正アプリケーションは、前記指示を提供するとすぐに、前記無線デバイスと前記複数のＩｏＴデバイス及び／又はＩｏＴハブの各々との間の現在の信号強度データを送信するものである、請求項１に記載のシステム。
【請求項３】
前記システム校正モジュール及び信号強度分析モジュールが実行される、ＩｏＴハブを更に含む、請求項１に記載のシステム。
【請求項４】
前記位置データベースは、各位置の識別及び各位置と関連付けられた複数の信号強度値を含む、請求項１に記載のシステム。
【請求項５】
前記複数の信号強度値は、各位置で前記無線デバイスと前記複数のＩｏＴデバイス及び／又はＩｏＴハブとの間で測定された、受信信号強度インジケータ（ＲＳＳＩ）値を含む、請求項４に記載のシステム。
【請求項６】
前記信号強度分析モジュールは、現在の信号強度値の組を受信し、それらの値を前記位置データベースにおける前記信号強度データと比較して、前記無線デバイスの前記現在位置を決定するものである、請求項５に記載のシステム。
【請求項７】
前記信号強度分析モジュールは、前記現在の信号強度値が、前記位置データベースにおいて指定される前記信号強度値の指定範囲内にある場合に、前記無線デバイスが特定の位置にあると決定するものである、請求項６に記載のシステム。
【請求項８】
前記信号強度分析モジュールは、前記無線デバイスが前記特定の位置にあるという前記決定に応じて、ＩｏＴデバイスを制御する１つ以上のＩｏＴデバイスコマンドを送信するものである、請求項７に記載のシステム。
【請求項９】
前記無線デバイスが特定の部屋にあると決定するとすぐに、前記信号強度分析モジュールは、それに応じて、前記部屋におけるオーディオスピーカーをオンにする、かつ／又は前記部屋における照明をオンにするものである、請求項８に記載のシステム。
【請求項１０】
前記無線デバイスが前記特定の部屋にあると決定するとすぐに、前記信号強度分析モジュールは、それに応じて、別の部屋におけるオーディオスピーカーをオフにする、かつ／又は前記別の部屋における照明をオフにするものである、請求項９に記載のシステム。
【請求項１１】
前記信号強度分析モジュールは、三角測量技術を行って、前記無線デバイスの前記現在位置を決定するものである、請求項１に記載のシステム。
【請求項１２】
前記三角測量技術は、前記無線デバイスとＩｏＴハブ、前記無線デバイスとＩｏＴデバイスとの間の信号強度値、及び前記ＩｏＴデバイスと前記ＩｏＴハブとの間の信号強度を測定することを含む、請求項１１に記載のシステム。
【請求項１３】
前記信号強度データは、前記無線デバイスによって収集され、第１のＩｏＴハブに送信される、請求項１に記載のシステム。
【請求項１４】
前記信号強度データは、近距離無線通信規格を用いて無線通信チャネルについて収集され、前記信号強度データは、異なる無線通信規格を用いて前記無線デバイスから前記第１のＩｏＴハブに送信される、請求項１３に記載のシステム。
【請求項１５】
前記近距離無線通信規格は、Ｂｌｕｅｔｏｏｔｈ（登録商標）  Ｌｏｗ  Ｅｎｅｒｇｙ（ＢＴＬＥ）を含み、前記異なる無線通信規格は、Ｗｉｆｉ規格を含む、請求項１４に記載のシステム。
【請求項１６】
ユーザの自宅又はビジネス内での無線デバイスと複数のＩｏＴデバイス及び／又はＩｏＴハブとの間の信号強度を示す信号強度データを収集することと、
前記信号強度データを前記ユーザの自宅又はビジネスにおける位置と関連付けて、前記関連付けを位置データベースに記憶することと、
前記位置データベースにおける前記信号強度データを、前記無線デバイスと前記複数のＩｏＴデバイス及び／又はＩｏＴハブとの間の現在の信号強度を示す現在の信号強度データと比較することによって、前記自宅又はビジネス内の前記無線デバイスの現在位置を決定することと、を含み、
信号強度データを収集することは、前記無線デバイス上の校正アプリケーションにより前記ＩｏＴハブと通信することを更に含み、前記校正アプリケーションは、１）前記ユーザの自宅又はビジネスにおける異なる部屋及び／又は各部屋内の異なる場所に移動するように、また、２）前記ユーザが前記異なる部屋及び／又は各部屋内の異なる場所の各々に到着したときに前記校正アプリケーションに指示を提供するように前記ユーザに指図するものである、方法。
【請求項１７】
前記校正アプリケーションは、前記指示を提供するとすぐに、前記無線デバイスと前記複数のＩｏＴデバイス及び／又はＩｏＴハブの各々との間の現在の信号強度データを送信するものである、請求項１６に記載の方法。
【請求項１８】
前記位置データベースは、各位置の識別及び各位置と関連付けられた複数の信号強度値を含む、請求項１６に記載の方法。
【請求項１９】
前記複数の信号強度値は、各位置で前記無線デバイスと前記複数のＩｏＴデバイス及び／又はＩｏＴハブとの間で測定された、受信信号強度インジケータ（ＲＳＳＩ）値を含む、請求項１８に記載の方法。
【請求項２０】
現在位置を決定することは、現在の信号強度値の組を受信し、それらの値を前記位置データベースにおける前記信号強度データと比較して、前記無線デバイスの前記現在位置を決定することを更に含む、請求項１９に記載の方法。
【請求項２１】
前記現在位置を決定することは、前記現在の信号強度値が、前記位置データベースにおいて指定される前記信号強度値の指定範囲内にある場合に、前記無線デバイスが特定の位置にあると決定することを更に含む、請求項２０に記載の方法。
【請求項２２】
前記無線デバイスが前記特定の位置にあるという前記決定に応じて、ＩｏＴデバイスを制御する１つ以上のＩｏＴデバイスコマンドを送信することを更に含む、請求項２１に記載の方法。
【請求項２３】
前記無線デバイスが特定の部屋にあると決定するとすぐに、それに応じて、前記部屋におけるオーディオスピーカーをオンにする、かつ／又は前記部屋における照明をオンにする、請求項２２に記載の方法。
【請求項２４】
前記無線デバイスが前記特定の部屋にあると決定するとすぐに、それに応じて、別の部屋におけるオーディオスピーカーをオフにする、かつ／又は前記別の部屋における照明をオフにする、請求項２３に記載の方法。